Podtech/llm-jp-corpus-v4-ja_patent huggingface dataset:
(57)【要約】【課題】表面にザラメ加工を施した薬用ＰＴＰシートを提供する。【解決手段】薬を服用する日時をペンなどで書き込むことが出来るような塗料等で一部又は全面に表面加工を施した事を特徴とずる、薬のカプセルや錠剤等を収容するＰＴＰシート。【選択図】  図１
2006297012.tif 000002
【特許請求の範囲】
【請求項１】
表面に印刷や研磨によってザラメ部分を持っていることを特徴とする、薬のＰＴＰシート
【発明の詳細な説明】
【技術分野】
【０００１】  この発明は、薬を服用する日時などを記すことの出来る薬のＰＴＰシートに関するものである。
【背景技術】
【０００２】  従来、錠剤やカプセル入りの薬などを収納するアルミ等金属製のＰＴＰシートがあった。
【発明の開示】
【発明が解決しようとする課題】
【０００３】  薬には、日ごと、又は定期的に服用するものがあるが、のみ忘れや、重複して飲んでしまうことが間々あるものである。  そのため、このようなトラブルを防ぐためにシートに服用する日時等を書き込もうとしてもその材質がアルミ等金属製であるために困難であった。  本発明はその問題を解決するためになされたものである。
【課題を解決するための手段】
【０００４】  シートの表面にインキなどのせることの出来る塗料等を塗布又は印刷を施してペンなどでメモを記すことが出来るようにした。
【発明の効果】
【０００５】  薬のシートに記してある日時を見ることにより、既に飲んでしまったのか、これから飲むものかが分かり、薬の正しい服用が出来るものである。
【発明を実施するための最良の形態】
【０００６】以下、本発明の実施の形態について説明する。（イ）ＰＴＰシートの表面（オモテでもウラでも良い）に部分的に、又は全面に鉛筆やインキを受け入れる事の出来るような塗料などを印刷又は、塗布する。（ロ）塗料の代わりに紙等を貼り付けるとか、単にザラメを付けるだけでも良い。更に「日」「時」等の文字を印刷しても良い。
【図面の簡単な説明】
【０００７】
【図１】錠剤を収容したＰＴＰシートの正面図
【図２】錠剤を収容したＰＴＰシートの正面図に「日」・「時」を印刷した説明図
【符号の説明】
【０００８】１  ＰＴＰシート本体２  錠剤等を収容する中空部３  錠剤４  服用日時を書き込む加工面５  日時などの印刷を施した例
【図１】
2006297012.tif 000003
【図２】
2006297012.tif 000004
(57)【要約】【課題】人工肛門のまわりの皮膚を洗浄する際、意志とは関係なく肛門の先から、流れたれてくる汚泥物を受け止める、人口肛門汚泥物受け止め袋を提供する。【解決手段】大小の人差し指ほどの薄茶色のビニール袋で、入口部分は輪ゴムが入り、人工肛門をあまり強くくわえ込まず、使用後はテープで入口部分をねじり留めることを特徴とする、人工肛門汚泥物受け止め袋。【選択図】図１
2006297011.tif 000002
【特許請求の範囲】
【請求項１】
大人の人差し指ほどのビニール袋に、入口部分は輪ゴムが収納されており、あまり強くくわえ込まず、使用後は粘着テープで入口部分をねじり止めることを特徴とする人工肛門汚泥物受け止め袋である。
【発明の詳細な説明】
【技術分野】
【０００１】  本発明は、人工肛門装備を外し、皮膚及び人工肛門の洗浄を行う時、自分の意志とは無関係に、流れたれてくる汚泥物を受け止める事に関するものである。
【背景技術】
【０００２】  従来、人工肛門装備を外し洗浄を行う場合、腹部のあたりに洗面器又はトレイ等を用意したりしたが、うまく落ちていかない事もあり、衣類に付着する恐れもあった。その為、人の手を借りたりもしていた。又、臭いなども気になる。
一人で行う時などは、衣類を脱いで浴槽もしくは洗面所などで行っていた。
【発明の開示】
【発明が解決しようとする課題】
【０００３】そのために、次のような問題点があった。
イ．洗面器又はトレイなど用意しても、うまく落ちていかない事もある。
ロ．衣類などに付かない様、気を使い、うまく洗浄が出来ない。
ハ．場所によっては、洗浄の為に衣類を脱ぐことが出来ない。
ニ．衛生的にも悪く、臭いなどもある。
本発明は以上の問題点を解決しようとするものである。
【課題を解決するための手段】
【０００４】  大人の人差し指ほどの大きさで、薄茶色のポリエステルのビニール袋。入口部分は小指先ほどの穴が空いており、穴のまわりにはゴムが入っている。あまり強くくわえ込まないにように、汚泥物を袋の中に受け止める。使用後は、袋に付いている二つ折り粘着テープで、ねじり留める事が出来る。
以上を特徴とする、人工肛門の汚泥物受け止め袋である。
【発明の効果】
【０００５】  洗面器、トレイなどがいらなくなり、衣類に付く恐れもなく、一人でも出来るようになった。又、衛生的で臭いの心配もない。
【発明を実施するための最良の形態】
【０００６】以下、本発明の実施の形態について説明する。
（イ）大人の人差し指ほどのうす茶色のビニール袋（１）である。
（ロ）入口部分（２）は、小指の先ほどの穴（３）が空いている。
（ハ）穴（３）のまわりのビニール袋（１）には、輪ゴム（４）が入っている。
（ニ）使用後は、入口部分（２）をねじり、二つ折り粘着テープ（５）で留めて捨てる。
本発明は、以上の構成よりなっている。
本発明を使用するときは、人工肛門装備を外し、肛門の先端にビニール袋（１）の入口部分（２）の穴（３）にあて込む。入口部分（２）には、輪ゴム（４）が入っているので、肛門をくわえ込む様な感じになり、その結果、人工肛門のまわりの皮膚の洗浄をするとき、自分の意志とは関係なく出てくる汚泥物を受け止めるための作業がしやすくできる。
【図面の簡単な説明】
【０００７】
【図１】  本発明の斜視図
【図２】  本発明の使用状態を示す斜視図
【符号の説明】
【０００８】  １  ビニール袋
２  入口部分
３  穴
４  輪ゴム
５  二つ折り粘着テープ
【図１】
2006297011.tif 000003
【図２】
2006297011.tif 000004
(57)【要約】【課題】  本発明は、爪の裏側の先端や指と爪の境目などに詰まらした汚れや、爪の表面の汚れなどを取り除く、爪の汚れ除去具を提供する。【解決手段】ひも状にしたアクリル等で作られたウォッシングタオルの両端を引っ張った状態でアルファベットのユウの字型のフレームの両端に固定した、爪の汚れ除去具。【選択図】  図１
2006297020.tif 000002
【特許請求の範囲】
【請求項１】
ひも状にしたアクリル等で作られたウォッシングタオルの両端を引っ張った状態でアルファベットのユウの字型のフレームの両端に固定した、爪の汚れ除去具。
【発明の詳細な説明】
【技術分野】
【０００１】  本発明は、爪の裏側の先端や指と爪の境目などに詰まらした汚れや、爪の表面の汚れなどを取り除く、爪の汚れ除去具に関するものである。
【背景技術】
【０００２】  従来、土作業や油作業などをして、爪の裏側の先端や指と爪の境目などに詰まらした汚れや、マニキュアを塗るための下地作業のためなどで、爪の表面の汚れを除去したいときはウォッシングタオルや爪ブラシなどで汚れをこすり取ったり、楊枝やへらなどで汚れをかき出したりして汚れを除去していた。
【発明の開示】
【発明が解決しようとする課題】
【０００３】  そのために、次のような問題点があった。
爪の裏側の先端や指と爪の境目などに詰まらした汚れや、爪の表面の汚れをウォッシングタオルや爪ブラシなどで取る場合も、楊枝やへらなどで汚れを取る場合も、細やかな手作業のため肩や目が疲れたり、時間がかかるわりには、汚れを除去する効率がとても悪かった。
本発明は以上の問題を解決しようとするものである。
【課題を解決するための手段】
【０００４】  ひも状にしたアクリル等で作られたウォッシングタオルの両端を引っ張った状態でアルファベットのユウの字型のフレームの両端に固定する。そしてひも状にしたアクリル等で作られたウォッシングタオルで、爪の裏側の先端や指と爪の境目などに詰まらした汚れや爪の表面の汚れをこすり取る。以上を特徴とする爪の汚れ除去具である。
【発明の効果】
【０００５】  本発明は、爪の裏側の先端や指と爪の境目などに詰まらした汚れや、爪の表面の汚れを、簡単な手作業で効率よく除去する。したがって、細かな手作業に多くの時間を費やしたり、目や肩に疲労をためることがないのである。
【発明を実施するための最良の形態】
【０００６】  以下、本発明の実施の形態を説明する。
（イ）風呂で体を洗うために使う、アクリル等で作られたウォッシングタオルを幅５ミリ長さ５センチから１０センチ程度のひも状の形態にしたナイロンたわし（１）。
（ロ）ナイロンたわし（１）をその両端を引っ張った状態でアルファベットのユウの字型のフレーム（３）の両端に設けた、取付けみぞ（２）にナイロンたわし（１）の両端を差し込み、接着や癒着によって固定する。
（ハ）フレーム（３）の材質は、両端を手（４）で強くつまむことで、ナイロンたわし（１）の張力を緩めることができ、つまむ力を抜けば、ナイロンたわし（１）の張力を元に戻せる程度の強度を持つ材質のものを使用する。
本発明は、以上の構成よりなっている。
本発明を使用するときは、フレーム（３）を手（４）でつまむように持ち、ナイロンたわし（１）を爪（５）の裏側の先端や指と爪の境目や表面に、適度な強さで押し付け、手（４）を左右に動かす。又は爪（５）をナイロンたわし（１）にそって左右に動かす。その時、フレーム（３）をつまむ手（４）の力加減で、ナイロンたわし（１）の張力を調整したり、爪（５）とナイロンたわし（１）との角度を調整しながら爪（５）の曲線あわせるように努めると、より効率よく爪（５）の裏側の先端や指と爪の境目や表面の汚れを除去することができる。
【図面の簡単な説明】
【０００７】
【図１】本発明の斜視図
【図２】本発明の分解斜視図
【図３】本発明の使用状態を示す斜視図
【図４】本発明の使用状態を示す斜視図
【符号の説明】
【０００８】１  ナイロンたわし
２  取付けみぞ
３  フレーム
４  手
５  爪
【図１】
2006297020.tif 000003
【図２】
2006297020.tif 000004
【図３】
2006297020.tif 000005
【図４】
2006297020.tif 000006
(57)【要約】【課題】  本発明は花掛け用リングと簡易掃除具及び収納引出しを取り付け一体化した墓参り手桶であり、さらに従来の墓参り手桶に対応できる花掛けスタンドを提供する。【解決手段】  墓参り手桶の両方の支柱に花掛け用リングを取り付け、手桶の底にコンパクトな掃除用具を収納できる引出しを取り付ける。又、従来の手桶に対応できる花掛けスタンドである。【選択図】図１
2006297018.tif 000002
【特許請求の範囲】
【請求項１】
（イ）手桶２本の支柱両脇に穴を開け、大小２個のリングを取り付ける。
（ロ）手桶の底にコンパクトな掃除用具を収納できる引出しを取り付ける。
以上の構成からなる花掛け掃除具入り手桶
【請求項２】
請求項１の（イ）に替わる既存商品対応用のフック式花掛けスタンド。
【発明の詳細な説明】
【技術分野】
【０００１】  本発明は、花掛け用リングと簡易掃除用具及び収納引き出しを取り付け、一体化した墓参り手桶であり、さらに従来の墓参り手桶に使用可能な花掛けスタンドに関するものである。
【背景技術】
【０００２】  従来、墓参り手桶は水汲み使用を専用としているものであった。
【発明の開示】
【発明が解決しようとする課題】
【０００３】  そのために、次のような問題点があった。
（イ）墓参りの際、花・手桶・線香・供物等の荷物で手がふさがってしまう。
（ロ）墓地は狭く、荷物が場所をとってしまう。
（ハ）花用の筒の中や、墓前周辺の細かい汚れに、掃除具の必要性を感じた。
本発明は、以上の問題点を解決するためのものである。
【課題を解決するための手段】
【０００４】  墓参り手桶の両方の支柱に花掛け用リングを取り付け、墓参り手桶の底にコンパクトな掃除用具を収納できる引出しを取り付ける。さらに、従来の墓参り手桶に対応できる花掛け用スタンドを作成する。
【発明の効果】
【０００５】  従来の墓参り手桶と形態を変えず収納力や利便性が高く清潔感がある。
又、既使用中の手桶にも花掛けスタンド取付け可能である。
【発明を実施するための最良の形態】
【０００６】  以下、本発明の実施の形態について説明する。
（イ）墓参り手桶支柱（２）二本の両脇に穴を２箇所づつ開けリング大（３）は上部の穴に、リング小（４）は下部の穴にさし込む。
（ロ）墓参り手桶本体（１）の底の空間に、折りたたみ式スポンジ（６）とブラシ（７）を収納できる引出し（５）を設置する。
（ハ）墓参り手桶の花掛けスタンド（９）は、従来の墓参り手桶に使用するもので、墓参り手桶本体（１）の淵（８）を挟むように装着する。
本発明は以上の構成によりなっている。
これを使用するときは、図１に花をリング大（３）とリング小（４）の中に挿し固定する。又、手桶本体（１）の底の引出し（５）の中には、花用の筒を掃除できる折りたたみ式スポンジ（６）と墓前掃除用のブラシ（７）を収納する。さらに、従来の墓参り手桶に、図２の花掛けスタンド（９）を淵（８）に挟むように装着し、花をリング大（１０）とリング小（１１）の中に挿し使用する。
【図面の簡単な説明】
【０００７】
【図１】本発明の使用状態を示す斜視図
【図２】本発明の斜視図
【符号の説明】
【０００８】  １  手桶本体
２  手桶支柱
３  リング大
４  リング小
５  引出し
６  折りたたみ式スポンジ
７  ブラシ
８  手桶の淵
９  花掛けスタンド
１０  リング大
１１  リング小
【図１】
2006297018.tif 000003
【図２】
2006297018.tif 000004
(57)【要約】【課題】  現在、有酸素運動を行うときの呼吸法や腹式呼吸は体の脂肪燃焼促進や健康促進につながるという事は周知の事実である。この事によりマスクを使用するだけで呼吸に抵抗が掛かり運動をしていない状態でも、体は有酸素運動状態になり且つ、呼吸器官にも良い運動的刺激が与えられるマスクを提供したい。【解決手段】    課題を解決する為、ゴム製等のマスクで口と鼻を覆いベルト等で頭部を利用し固定した。又、吸気弁と排気弁若しくは、それらと同じ抵抗が掛かるフィルターをマスクに設け呼吸に、抵抗がかかるマスクを提供した。又、吸う為の弁と、吐く為の弁若しくはフィルターにカバー若しくは蓋等を設け任意で、その弁を開閉出来る様に設けると個人差や、体調の具合に合わせ使用できるようにした。又、このマスクは、口のみや、鼻のみでも良いが、口鼻両方をカバー出来るほうが、より効果的である。又、口鼻それぞれの室に遮断しそれぞれ吸う為の弁吐く為の弁若しくはフィルターを設けたマスクでも良い。【特許請求の範囲】
【請求項１】
人が無意識に力をいれずに行う呼吸すなわち吸う、吐く、この作業を人為的に操作し力を入れなければ呼吸できないスポーツ用マスク。
【発明の詳細な説明】
【技術分野】
【０００１】  本発明は、人の呼吸すなわち吸う、吐く、に対し圧力や制限を人為的に行うスポーツマスクである。
【背景技術】
【０００２】  従来、呼吸に制限を加え人体の呼吸器官を鍛えたり、体を活性化できるマスクは存在しない。
【発明の開示】
【発明が解決しようとする課題】
【０００３】  現在、有酸素運動を行うときの呼吸法や腹式呼吸は体の脂肪燃焼促進や健康促進につながるという事は周知の事実である。この事によりマスクを使用するだけで呼吸に抵抗が掛かり運動をしていない状態でも、体は有酸素運動状態になり且つ、呼吸器官にも良い運動的刺激が与えられるマスクを提供したい。
【課題を解決する為の手段】
【０００４】  課題を解決する為、ゴム製等のマスクで口と鼻を覆いベルト等で頭部を利用し固定した。又、吸気弁と排気弁若しくは、それらと同じ抵抗が掛かるフィルターをマスクに設け呼吸に、抵抗がかかるマスクを提供した。又、吸う為の弁と、吐く為の弁若しくはフィルターにカバー若しくは蓋等を設け任意で、その弁を開閉出来る様に設けると個人差や、体調の具合に合わせ使用できるようにした。又、このマスクは、口のみや、鼻のみでも良いが、口鼻両方をカバー出来るほうが、より効果的である。又、口鼻それぞれの室に遮断しそれぞれ吸う為の弁吐く為の弁若しくはフィルターを設けたマスクでも良い。
【発明の効果】
【０００５】  本発明の効果により、運動をしていない状態でも、息苦しいため、大きく、力を入れた呼吸になり、有酸素運動状態になる。この事により、ダイエットや人体の呼吸器官への運動的刺激になる為、大変有効である。又、使用しながら運動を行うと、更なる効果が期待できる。
【発明を実施する為の最良の形態】
【０００６】  マスクの素材は、人体に触れるものである為、軟らかく軽い素材でアレルギー性の少ない、清潔な素材が良い。又、マスクから頭部等に回したベルト若しくはバンド等でマスクを固定し、息を吸う、吐くに制限を加える弁の数やフィルターの数は個人の身体能力や年齢タイプに対応する為、数タイプ考えられる。又、それぞれの弁を任意で開閉できるようにしておく事で、そのときに体調に合わせ使用することも可能にした。又、口鼻それぞれの室に分け、それぞれ吸う為の弁、吐く為の弁若しくはフィルターを数個設けたタイプや口だけのタイプ、鼻だけのタイプでも良い。
【実施例】
【０００７】  マスクの素材は、シリコン系のゴムでベルトは頭部に回しゴム紐で固定し吸う、吐く、それぞれの弁は、水中眼鏡などで、使用されることが多いゴム製の弁を利用した。この事によりフィルターと異なり洗浄も簡単に行えた。又、各弁にカバーを設け開閉を行えるようにすると任意で呼吸に掛かる抵抗を増やしたり減らしたり出来るようになり体調の具合にあわせた使用を行えるようにした。
(57)【要約】【課題】    従来のボードゲームは、ゲームそのものだけしか楽しむ事が出来なかった。そこで本発明ではゲームそのものを楽しみながら、それと同時に地理の学習が出来るボードゲームを提供する。【解決手段】  このゲームは世界全図を６つの地域に分けた地図盤（１）上で行われる。ピン（３）を付けた国旗（４）のはめ込み位置と、リング（５）の置き場所によるゲームプレイによって集められた国旗の図柄の組合せ方法による点数計算でゲームの勝敗が決まる。そのようなルールを特徴とするボードゲームを行うことでゲームを楽しみながら地理の学習が出来る。【選択図】    図１
2006297013.tif 000002
【特許請求の範囲】
【請求項１】
地図盤の首都の所にあけてある穴に、自分の色のピンをはめ込んだ国旗を、国と旗が正しい関係になるようにはめ込む事をルールとするボードゲーム。
【請求項２】
リングの置き方で地図盤上にはめ込まれている国旗を取り合うというルールを用いたボードゲーム。
【請求項３】
国旗のはめ込み位置と、リングの置き方による作戦行動によって集められた国旗の数と、それらの旗の図柄の組合わせ方法による点数計算で勝敗を決めるボードゲーム。
【発明の詳細な説明】
【技術分野】
【０００１】  本発明は国旗の図柄の組合せなど、世界地理の学習要素をゲームのルールの中に取り入れた、知育玩具的なボードゲームに関するものである。
【背景技術】
【０００２】  従来のボードゲームは、そのゲームのプレイそのものしか楽しむ事が出来なかった。
【発明の開示】
【発明が解決しようとする課題】
【０００３】  これには次のような問題点があった。
従来よりあるボードゲームでは、そのゲームだけしか楽しむ事が出来ず、ゲームで遊びながら学ぶという事が出来ない状態であった。
本発明はそのような不便をなくし、ゲームのプレイを楽しみながら、それと同時に地理の学習も出来るというボードゲームを提供する事にある。
【課題を解決するための手段】
【０００４】  世界全図が描かれた地図盤（１）をアジア、ヨーロッパ、アフリカ、北アメリカ、南アメリカ、オセアニアの６つの地域に分け、地図盤上の首都の所にあけてある穴（２）に、自分の色のピン（３）をはめた国旗（４）を、国と国旗が正しい位置関係になるようにはめ込む。その際各プレーヤーは国旗のはめ込み場所を選択しながらはめ込んでいく。それを各プレーヤーが右回りに順番に行う。そして１地域の地図盤の穴が全て埋まったら、各自サイコロを振り、出た目の数が大きい順に地図盤上の好きな場所に自分の色のリング（５）を置いていく。その置かれたリングの内側に立っている国旗はリングを置いたプレーヤーの物になる。【０００５】  そのようなプレイを各地域の地図盤（１）で行い、６地域が全て終了したら、今まで集めてきた国旗（４）で各自、旗の図柄の組合せによる点数計算を行い、ゲームの勝敗を競い合う。
本発明は以上のような構成よりなる地理の学習をしながらゲームプレイが楽しめるボードゲームである。
【発明の効果】
【０００６】  本発明のボードゲームは実際に世の中で使われている国旗と世界地図をゲームのルールの中に取り入れているので、ゲームプレイを楽しみながら国の位置や国の形、首都名や国旗の図柄などを学習する事が出来る。
【発明を実施するための最良の形態】
【０００７】  本発明は２名〜４名でプレイを楽しむボードゲームである。各プレーヤーは赤、青、黄、緑の中から自分の色を決め、それぞれの決めた色のリング１つと、プレイ人数に応じた数のリングと同色のピンを持ちプレイに参加する。【０００８】  本ゲームは世界全図を６つの地域に分けた地図盤（１）上で行う。各プレーヤーはそれぞれ好きな国旗（４）を選択し、その旗の先に自分の色のピン（３）をはめ込み、国旗と国が正しい関係になるようその国の首都の所にあけられている穴（２）に国旗をはめ込む。それを各プレーヤー１回ずつ右回りで順次行い、１地域の地図盤の穴が全て国旗でふさがったら、それが終了するたびにその都度サイコロをプレーヤー全員が振り、出た目の数が大きい順に自分の色のリング（５）を地図盤上の国旗が立っている場所に置いていく。その際後からリングを置くプレーヤーは先に置いてあるリングと重なってリングを置いてはならない。リングを置く回数は各地域盤ごとにそれぞれ各自１回のみ、６地域合計で１人６回である。リングには表と裏があり、ストライプ模様が描かれている面が表、無地の面が裏になる。表面を上にしてリングを置いたときは、そのリングの内側に立っているリングと同じ色のピンの国旗は２倍に出来る。しかし他の色のピンの国旗はとれないので、そのまま盤に残しておく。逆にリングの裏面を上にしてリングを置いた場合は自分の色のピンの国旗はそのままで増やせないが、他の色のピンの国旗は全て自分の物にすることが出来る。リングの表裏の置き方は、各地域盤ごとにその都度プレーヤーが好きな面を選択して使用出来る。そして各地域のゲームプレイが終わるごとに地図盤上に残っている自分の色のピンの国旗は自分の物に出来る。【０００９】  ６地域全ての地図盤でのプレイが終わったら、今まで集めてきた自分の国旗の図柄を見て、一番高い点数が得られるような図柄の組合せ方法を考える。図柄の組合せ法による点数計算は以下のようになる。
国旗の図柄の中に太陽が描かれている旗を５つ以上揃えるとその数が２倍になる。
国旗の図柄の中に三日月が描かれている旗を５つ以上揃えるとその数が２倍になる。
国旗の図柄の中に十字架が描かれている旗を５つ以上揃えるとその数が２倍になる。
国旗の図柄の中に鳥の描かれている旗を５つ以上揃えるとその数が３倍になる。
国旗の図柄の中に一ツ星が描かれている旗を７つ以上揃えるとその数が３倍になる。
国旗の図柄の中に植物が描かれている旗を５つ以上揃えるとその数が３倍になる。
国旗の図柄の中に武器が描かれている旗を４つ以上揃えるとその数が３倍になる。以上のような点数が倍増する組合せをそれぞれのプレーヤーが各自考え点数を競い合う。
ちなみに、国旗１つは１点である。点数計算に使える国旗は一旗一回だけなので、どこで自分が持っている旗を使うのが一番有効なのかよく考えて使用する。【００１０】  以上のように本発明のボードゲームは国旗（４）の図柄と、はめ込み位置を考慮しながらリング（５）の置き方や旗の図柄の組合せ方法など、さまざまな頭脳プレイやサイコロ順位の運などで、１点でも多くの得点を獲得しようと各プレーヤーが競い合うゲームである。そして一番得点の高かった者がゲームの勝者になる。
【産業上の利用可能性】
【００１１】  本発明に係るボードゲームは工業的に量産する事が可能であるため、産業上の利用可能性を有する。
【図面の簡単な説明】
【００１２】
【図１】  ヨーロッパ地域の地図盤の穴に、ピン付国旗をはめ込んだ状態の斜視図である。
【図２】  リングの斜視図である。
【図３】  ピンに国旗をはめ込んだ状態の斜視図である。
【符号の説明】
【００１３】    １    地図盤
２    地図盤上の首都の所にあけてある穴
３    色つきピン
４    国旗
５    リング
【図１】
2006297013.tif 000003
【図２】
2006297013.tif 000004
【図３】
2006297013.tif 000005
(57)【要約】【課題】    誤って食べ物や異物が口腔内や喉に詰まった場合に、掃除機の吸引力を使い異物を取り除く、救命異物除去具を提供する。【解決手段】ビン状の容器本体の入り口外周に勾配を付けた輪を設け、掃除機の吸引パイプに隙間なく挿入され、この容器本体に管を設け、誤って食べ物や異物が口の中や喉などに詰まらせた場合に、管を口腔内や喉に挿入し、掃除機の吸引により詰まらせた物を除去する。容器本体と管は透明な材質になっている。管は口腔内に入れても創傷しない軟質材料である。以上を特徴とする救命異物除去具である。【選択図】  図１
2006297040.tif 000002
【特許請求の範囲】
【請求項１】
ビン状の容器本体の入り口部外周に勾配を付けた輪を設け、掃除機の吸引パイプに隙間なく挿入され、この容器本体に管を設け、誤って食べ物や異物が口の中や喉などに詰まらせた場合に、管を口腔内や喉に挿入し、掃除機の吸引により詰まらせた物を除去することを特徴とする救命異物除去具。
【請求項２】
容器本体と管が透明な材質にした請求１の救命異物除去具。
【請求項３】
管は口腔内に挿入しても創傷しない軟質材料にした請求１の救命異物除去具。
【発明の詳細な説明】
【技術分野】
【０００１】  本発明は、誤って食べ物や異物が口腔内や喉に詰まった場合に、掃除機の吸引により取り除く、救命異物除去具に関するものである。
【背景技術】
【０００２】  従来、食べ物や異物が口腔内や喉に詰まらせた場合に救急車を呼び、来るまで待機していた。
救命講習では救命処置として指拭法や背部叩打法、ハイムリック法などを指導している。
【発明の開示】
【発明が解決しようとする課題】
【０００３】  そのために、次のような問題点があった。
食べ物や異物が口腔内や喉に詰まらせた場合に救命講習を受けていない家庭では指で取れないと救急車を待つしかなかった。
救命講習で指拭法や背部叩打法、ハイムリック法などを受けても、経験が無いと救命処置としては難しかった。
本発明は以上の問題点を解決しようとするものである。
【課題を解決するための手段】
【０００４】  ビン状の容器本体の入り口外周に勾配を付けた輪を設ける。そして掃除機の吸引パイプに隙間なく挿入される。この容器本体に管を設け、誤って食べ物や異物が口の中や喉などに詰まらせた場合に、管を口腔内や喉に挿入し、掃除機の吸引により詰まらせた物を除去する。除去出来たか確認できるように容器本体と管は透明な材質になっている。管は口腔内に入れても傷が付かない軟質な材料である。以上を特徴とする救命異物除去具である。
【発明の効果】
【０００５】  本発明は、食べ物や異物が誤って口腔内や喉に詰まった場合に、すばやく安全に掃除機の吸引により容器本体内や管に異物を吸着し除去できる。したがって、熟練性を必要としない。
【発明を実施するための最良の形態】
【０００６】  以下、本発明の実施の形態を説明する。
（イ）透明な材質によるビン状の容器本体（１）の入り口部外周（２）に、勾配を付けたゴムからなる伸縮自在の輪（３）を設ける。
（ロ）容器本体（１）の取り付け穴（６）に取り付け部分が段差形状（７）で反対部分の先端（５）が斜めになった透明で軟質材の管（４）を取り付ける。
本発明は、以上の構成よりなっている。
また、（３）の輪については説明上ゴムとしたが、衛生上から考えて温度によって形状の伸縮性をともなう形状記憶合金の材料を用いてもよい。
本発明を使用するときは、上記の救命異物除去具を掃除機にセットする。
掃除機先端の吸込み部分を外し、パイプに口部外周（２）に設けた輪（３）部分を挿入する。掃除のスイッチを入れて作動させ、管を伸ばして先端部分（５）を詰まっている箇所の口腔内もしくは喉に挿入する。管内径よりも小さい異物は吸込まれて、透明な管内や容器本体に運ばれて除去状態が確認できる。管径より大きい物を吸引すると、掃除機に負荷がかかり、運転音が大きくなるので静かに管を引き抜き、異物を取り出すことができる。この結果、救命処置ができ一命を取り止めることが出来る。
【図面の簡単な説明】
【０００７】
【図１】本発明の斜視図
【図２】本発明の分解斜視図
【図３】本発明の使用状態を示す斜視図
【符号の説明】
【０００８】    １    容器本体
２    入り口部外周
３    輪
４    管
５    管先端部
６    取り付け穴
７    管の取り付け部
８    掃除機パイプ
９    救助者の手
【図１】
2006297040.tif 000003
【図２】
2006297040.tif 000004
【図３】
2006297040.tif 000005
(57)【要約】【課題】本発明は、殻つきの海老の塩焼きや煮物を食べるとき、手を汚さずに海老の殻をむくことが出来る食器を提供する。【解決手段】中央の支点をはさんで、第１アームと第２アームを有し、前記第１アームと第２アームによって物をつかむ事が可能であり、第１アームの先端には刃部を設け、第２アームの先端には爪部が設けられ、これらにより手を汚さず海老の殻をむくことが可能になる。【選択図】図３
2006297039.tif 000002
【特許請求の範囲】
【請求項１】
中央の支点をはさんで、第１アームと第２アームを有し、前記第１アームと第２アームによって物をつかむ事が可能であり、第１アームの先端には刃部が設けられ、第２アームの先端には爪部が設けられた事を特徴とする海老の殻むき器。
【請求項２】
刃部はノコ歯状である事を特徴とする請求項１に記載の海老の殻むき器。
【請求項３】
爪部は内向きに設けられている事を特徴とする請求項１ないし請求項２に記載の海老の殻むき器。
【請求項４】
第１アームと第２アームの先端は傾斜している事を特徴とする請求項１ないし請求項２ないし請求項３に記載の海老の殻むき器。
【請求項５】
海老の図柄が設けられている事を特徴とする請求項１ないし請求項２ないし請求項３ないし請求項４に記載の海老の殻むき器。
【発明の詳細な説明】
【技術分野】
【０００１】本発明は、殻つきの海老の塩焼きや煮物を食べるとき、手を汚さないで殻をとる食器に関する。
【背景技術】
【０００２】従来、殻つきの海老の塩焼きや煮物を食べるときに使用する食器類としては箸、ナイフ、フォークなどが一般的に知られている。
【発明の開示】
【発明が解決しようとする課題】
【０００３】殻つきの海老の塩焼きや煮物を食べるとき、箸、ナイフ、フォークで殻をきれいにむき取るのは非常に難しく、やむおえず手で海老の殻を掴んでむき取りながら食べるという場合がほとんどで、そのため、食事前に洗った手も汚れてしまい、また汚れが衣服にもついたりするなどの問題点があった。本発明は以上の問題点を解決するためになされたものである。
【課題を解決するための手段】
【０００４】本体中央の支点３をはさんで、第１アーム１と第２アーム２を有し、前記第１アーム１と第２アーム２によって物をつかむ事が可能であり、第１アーム１の先端には刃部４が設けられ、第２アーム２の先端には爪部５が設けられた事を特徴とする海老の殻むき器。
【発明の効果】
【０００５】本発明の海老の殻むき器は、フォークを併用して簡単に殻をむくことが出来るので、やむおえず手で海老の殻を掴んでむき取りながら食べるという事がなくなり、食事前に洗った手が汚れるという問題点が解消される。
【発明を実施するための最良の形態】
【０００６】以下、本発明の実施の形態を説明する。
本体中央の支点３をはさんで、第１アーム１と第２アーム２を有し、第１アーム１と第２アーム２を手で握り、指力によって物をつかむ事が可能であり、第１アーム１と第２アーム２と中央の支点３の湾曲部は弾性を有し、物をつかんだあと指力を緩めることにより弾性復帰される。
また、第１アーム１の先端には海老の殻を切りやすくするためにノコ歯状の刃部４が設けられ、第２アーム２の先端には海老の殻を挟み剥がすための爪部５が内向きに設けられ、これらの刃部４と爪部５により海老の殻をしっかり挟み掴んで剥がすことができる。刃部４と爪部５は手に持って使いやすいように、それぞれ傾斜されている。本発明は以上の構成よりなる。【０００７】本発明を使用する方法は、海老の殻むき器の第１アーム１の面を上向きにし支点３を手前にして、第２アーム２を右手の人差し指、中指、薬指、小指の上に乗せて持ち、親指を第１アーム１の先端に置いて握り持ち、左手にフォークを持つ。図３海老の塩焼き７の頭を左向きにしてフォーク８を腹に刺して海老を固定し、刃部４で腹に切れ目を入れ刃部４と爪部５で殻を挟み引き上げるとクルッと海老の殻をむくことが出来る。
【図面の簡単な説明】
【０００８】
【図１】海老の殻むき器の斜視図
【図２】海老の殻むき器の上面図（上）、側面図（中）、下面図（下）
【図３】海老の殻むき器の使用時の図
【図４】海老の図柄を設けた海老の殻むき器の上面図
【符号の説明】
【０００９】１  第１アーム
２  第２アーム
３  支点
４  刃部
５  爪部
６  本発明の海老の殻むき器本体
７  海老
８  フォーク
９  海老の図柄
【図１】
2006297039.tif 000003
【図２】
2006297039.tif 000004
【図３】
2006297039.tif 000005
【図４】
2006297039.tif 000006
(57)【要約】【課題】本発明は、取っ手付きまな板本体の取っ手をまな板本体の表面、裏面の両面に接する様に回転させる事によって台座となり衛生的である。その台座の付いたまな板は、調理された食材を受け皿にスライドさせ食材を速やかに処理できるまな板である。衛生的で食材をスライド移動できるまな板を提供する事を課題とする。【解決手段】まな板本体（１）に取っ手（２）（３）を設け、取っ手（２）（３）を軸（５）（６）を中心に、まな板本体（１）の裏面に接する様にして取っ手（２）（３）が台座の代わりとなることができ、この取っ手（２）（３）は自由に軸（５）（６）を中心としてまな板本体（１）の表面、裏面のどちらでも回転することを特徴とする取っ手付きまな板である。【選択図】図１
2006297037.tif 000002
【特許請求の範囲】
【請求項１】
取っ手付きまな板で、まな板本体の両サイドに取っ手が付いており、その取っ手が軸を中心として回転するまな板である。
【請求項２】
取っ手は、まな板本体に取り付けてあり、取り付け軸を中心としてまな板の表面、裏面の両面に回転し面に接することにより、その取っ手が台座の代わりとなる。このためまな板は両面使用可能となり、調理台に直接、接することがなく衛生的なことを特徴とした請求項１記載の取っ手が回転し台座となるまな板である。
【発明の詳細な説明】
【技術分野】
【０００１】    本発明は、取っ手付きまな板で取っ手がまな板の表面、裏面の一面に接するまで回転し台座となる。取っ手付きまな板に関するものである。
【背景技術】
【０００２】  従来のまな板は調理台の面に平板のまな板を置いて調理するため、まな板と調理台の面が接するので衛生的では無い。調理台で両面を使用する場合は、特に不衛生であり、まな板に足となる台座が無いため調理後の食材を受け皿等々にスライドができず不便である。
【発明の開示】
【発明が解決しようとする課題】
【０００３】  それには次のような問題があった。
（イ）平板用のまな板は調理台と接触しているので衛生的では無い。
（ロ）足付きのまな板はあるが取っ手が回転して台座になるまな板は無い。
（ハ）足付きのまな板は表と裏の両面を使用でき無い。
（ニ）市販の平板まな板は、板状のため台座となるものが無く調理された食材はスライドして受け皿等々に移動でき無い。
本発明は、以上の問題を解決するためのものである。
【課題を解決するための手段】
【０００４】  まな板本体（１）の両サイドに取っ手（２）（３）を設け、軸（５）（６）を中心にまな板本体（１）の表面、裏面の両面に接するまで回転させることによりその取っ手（２）（３）がまな板本体（１）の面に接して台座となり調理台の面より台座の分が浮き上がる。調理台の汚れから逃れることができ衛生的である。
取っ手（２）（３）はまな板本体（１）を持ち上げることにより受け皿に移動しやすくなり、まな板本体（１）より数種の食材は受け皿に種別にスライドされる。
本発明は以上のような構成により取っ手が回転し台座となるまな板である。
【発明の効果】
【０００５】  本発明は、取っ手が回転し台座となるまな板で、調理の時に取っ手を回転させることにより、まな板本体の表面裏面の両面使用が可能。まな板本体の表面と裏面を、使い分けることにより、生臭いものと野菜などの調理を分けることができる。更には、調理台とまな板本体の面が接することがなく衛生的で、取っ手はまな板本体とフラットにすることもでき、又、まな板と取っ手を直角にすることにより、まな板本体を調理台に垂直に立てることができる。水切りや整理整頓ができ衛生的である。
【発明を実施するための最良の形態】
【０００６】  以下本発明の実施形態を説明する。
（イ）まな板本体（１）に取っ手（２）（３）を設ける。
（ロ）取っ手（２）（３）を軸（５）（６）でまな板本体（１）を接続し回転軸となる。
（ハ）まな板本体（１）に指が入る様に掻き込み（４）を設ける。
（ニ）取っ手（２）（３）を回転することによりまな板本体（１）の表面裏面の両面を使用可能である。
本発明は以上の構成よりなっている。
これを使用する時は取っ手を回転させ台座として使用し使用後は取っ手をまな板本体と直角にして調理台に対し垂直に立てる事により水切り乾燥が可能で衛生的である。
【図面の簡単な説明】
【０００７】
【図１】本発明の斜視図である。
【図２】本発明の取っ手が回転した斜視図である。
【符号の説明】
【０００８】    （１）まな板本体
（２）（３）取っ手
（４）まな板本体の掻き込み
（５）（６）軸
【図１】
2006297037.tif 000003
【図２】
2006297037.tif 000004
(57)【要約】      （修正有）【課題】美容意識は年々高まってきている傾向にあり、アイラッシュは、どの年代層にも広く浸透している。従来の自己でのアイラッシュのつけ方は、アイラッシュのベース（１〜２ｍｍ幅）に接着剤を直接つけ、まつげの生え際が見えるように伏し目にして、アイラッシュをまつげの生え際の湾曲にそって、まつげの生え際ぎりぎりにつけるという熟練した技術が必要であり、時間がかかる。【解決手段】  本発明のスティック・アイラッシュライナーは、つけまつげ用接着剤用具であり、まつげの生え際に直接塗ることにより、スティック・アイラッシュライナーで描いた線上にのみ、アイラッシュのベースをつけることができる。すなわち、アイラッシュを思いどおりの位置に、簡単に短時間でつけることができる。さらに、接着剤に黒色の化粧品顔料を含むため、アイラインの効果もあり、より自然で魅力的な目元を演出することができる。【選択図】    図１
2006297038.tif 000002
【特許請求の範囲】
【請求項１】
スティック・アイラッシュライナーは、つけまつげ用接着剤用具である。まつげの生え際に直接塗ることにより、アイラッシュを思いどおりの位置に、簡単につけることができる。
形状は、持ちやすい鉛筆型で、全長はキャップを含め、１５０ｍｍ前後で鉛筆とほぼ同じぐらいの長さである。本体の中に、アイラッシュ用接着剤が入っている。本体の素材は、ラミネートチューブで、キャップの素材は、プラスティックである。
本体の口の内径は、約１ｍｍ幅前後の液状の接着剤が出てくる大きさである。
接着剤に黒色・茶色などの化粧品顔料を含むため、アイラインの効果があることを特徴とする。
【請求項２】
本体の素材・形状が、プラスティックでシャープペンシル・ノック式である請求項１記載の用具
【請求項３】
本体の中味のアイラッシュ用接着剤が固形である請求項１記載の用具
【請求項４】
本体の中味のアイラッシュ用接着剤がカートリッジ式である請求項１記載の用具
【請求項５】
アイラッシュ用接着剤が１０〜３０ｍｌの小瓶または、プラスティック容器に入っており、その容器に付属する専用の筆で塗るようになっている形状である請求項１記載の用具
【発明の詳細な説明】
【技術分野】
【０００１】  この発明は、アイラッシュ（つけまつげ）を簡易・容易に、まつげの生え際につけるための接着剤の用具に関するものである。
【背景技術】
【０００２】  従来の自己でのアイラッシュのつけ方は、アイラッシュのベースに接着剤を直接つけ、まつげの生え際が見えるように伏し目にして、アイラッシュをまつげの生え際の湾曲にそって、まつげの生え際ぎりぎりにつけるという熟練した技術が必要で時間がかかる。【０００３】  従来のアイラッシュの接着剤は、チューブに入っており、アイラッシュのベース（１〜２ｍｍ幅）につける際、必要以上に接着剤が出てしまい、そのまままぶたにつけると乾燥したあとアイシャドウが接着剤に付着し、接着剤の部分が白く浮き上がり、アイラッシュをつけていることが容易にわかり自然な目元を演出することができない。【０００４】  従来のように、アイラッシュのベースに接着剤を直接つけ、まつげの生え際につけることに失敗した場合は、とりはずし、またはじめからやり直さないといけない、その際アイメイクもとれ、メイクの仕上がりがきれいにならない。【０００５】  美容意識は年々高まってきている傾向にあり、アイラッシュはもはや、特別行事（結婚式など）、芸能・舞台関係の人だけが使用するものではなく、一般市民にも広く浸透しており、特に視力低下、手先の細かい作業がしにくくなってきている初老期の年代以降の人々も若さを保つために使用している。
【発明の開示】
【発明が解決しようとする課題】
【０００６】  従来のアイラッシュの接着方法では、簡単にまつげの生え際につけることが困難である。
【課題を解決するための手段】
【０００７】  本発明のスティック・アイラッシュライナーは、つけまつげ用接着剤用具であり、まつげの生え際に直接塗ること、および、アイラインの効果を持つことを特徴とする。
【発明の効果】
【０００８】  本発明品は、使用者がスティック・アイラッシュライナーで描いた線上にのみ、アイラッシュのベースをつけることができる。すなわち、アイラッシュを思いどおりの位置に、簡単につけることができる。【０００９】  本発明品は、接着剤に黒色の化粧品顔料を含むため、アイラインの効果もあり、より自然で魅力的な目元を演出することができる。
【発明を実施するための最良の形態】
【００１０】  以下、本発明の実施の形態を図面に基づき詳細に説明する。【００１１】  図１は、斜体図である。【００１２】  図１に示すように、本体１は、ラミネートチューブで持ちやすい鉛筆型で、全長はキャップ３を含め、１５０ｍｍ前後で鉛筆とほぼ同じぐらいの長さである。
本体１を握りながら適度な力を加えると、本体２の口の内径は、約１ｍｍ幅の液状の接着剤が出てくる大きさである。使用後は、キャップ３を本体１につけておく。
【図面の簡単な説明】
【００１３】
【図１】  本発明の斜体図である。
【符号の説明】
【００１４】      １  本体
２  接着剤の出てくる口
３  キャップ
【図１】
2006297038.tif 000003
(57)【要約】【課題】      将棋ゲーム盤などをより興味を持たせること。【解決手段】  将棋駒に武将名・家紋・写真・野球・スポーツ選手球団その他キャラクターなどを表現させ、将棋盤にも戦場など表現したものを使う。【選択図】      図１
2006297007.tif 000002
【特許請求の範囲】
【請求項１】
将棋駒に武将名・家紋・写真・野球・スポーツ選手球団その他キャラクターなどを表現させる。
【請求項２】
将棋盤に戦場など表現させる。
【請求項３】
テレビゲームやパソコンゲームの将棋ソフトに「請求項１」・「請求項２」を表現させる。
【請求項４】
碁・オセロゲーム・チェスなどのゲームにも「請求項１」・「請求項２」・「請求項３」を取り入れる。
【発明の詳細な説明】
【技術分野】
【０００１】  本発明は、将棋ゲーム盤などにキャラクターや背景を描いてゲームに参加興味を持たせる方法に関する。
【背景技術】
【０００２】  これまでの将棋駒は王・飛・角・金・銀・桂・香・歩などの文字を書いたり彫ったりしたものを使用している。【０００３】  また、将棋盤も升目だけを描いたものを使用している。【０００４】  そのためカラー色彩やデザイン性に伝統性が色濃く、テレビゲームなどにゲームの主導権を奪われそうな状況である。【０００５】  天童市などで毎年人間将棋が模様されているが、あくまでもプロの将棋士が駒を動かして観客がその模様を観戦するだけである。【０００６】  さらに双方が同じよう将棋駒を使うため歴史上の戦を想像しながらゲームすることが乏しい。
【発明の開示】
【発明が解決しようとする課題】
【０００７】  解決しようとする問題点は従来の将棋ゲーム盤などをより興味を持たせることである。
【課題を解決するための手段】
【０００８】  上記目的を達成するために、本発明の方法においては、将棋駒に武将名・家紋・写真などを表現させたものを使う。【０００９】  また、将棋盤にも戦場など表現したものを使う。【００１０】  その表現対象は武将名・家紋・写真など限らず、野球・スポーツ選手球団その他キャラクターなど多岐にわたる。
【発明の効果】
【００１１】  対戦相手が歴史上ありえない人物同士や好みの自分の将棋駒を持つことで将棋に興味を持つ人が増える。【００１２】  また、将棋により歴史も自然に学べ、野球・スポーツ選手球団その他キャラクター品と共に販売効果を発揮する。
【発明を実施するための最良の形態】
【００１３】  将棋駒に武将名・家紋・写真・野球・スポーツ選手球団その他キャラクターなどを表現させ、将棋盤にも戦場など表現したものを使う。
【実施例】
【００１４】  将棋駒に平家武将名と源氏武将名をそれぞれ入れ、将棋盤に戦場場面を描いたものを用い小学生同士対戦させたところ、取られた駒を相手が使う場面では寝返りをうたれたなどの想像が生まれ、また歴史を学ぶことが出来、将棋に興味を抱かせた。
【産業上の利用可能性】
【００１５】  将棋人気が高まり、自分のお気に入りの将棋駒や自分だけの将棋駒を持つことになり、将棋の販売数量がこれまでより格段に増加する。【００１６】  野球・サッカー・芸能などと共に相乗効果を発揮し、また、歴史の勉強にも役立つ。
【図面の簡単な説明】
【００１７】
【図１】将棋駒に武将絵と王・飛などの文字を表現した概略図である。
【図２】将棋盤に戦場などを表現した概略図である。
【符号の説明】
【００１８】  １  将棋駒  ２  武将絵等  ３  王・飛などの文字  ４  将棋盤  ５  戦場などの表現図
【図１】
2006297007.tif 000003
【図２】
2006297007.tif 000004
(57)【要約】      （修正有）【課題】  人工筋肉を二層構造にし、それぞれの特性を生かすことによって、多様性に優れた人間の筋肉動作により近くすることができる二層構造の人工筋肉を提供する。【解決手段】二層構造の人工筋肉は、人工筋肉を二層構造にし、一層目に普段用として膨張・収縮の容易なポリマゲル等の材料を使用したアクチュエータ３を設け、二層目に緊急用として発生応力と動作速度に優れた電歪ポリマ等の材料を使用したアクチュエータ５を設けることにより、普段のときに使うものと緊急のときに使うものとを分けることで、人間の筋肉構造の赤筋と白筋の動作に近い使い方が可能になる。また、二つのアクチュエータ３，５を併用し、用途に合った出力割合を制御することによって、多様性に優れた筋肉動作ができる。【選択図】  図１
2006297005.tif 000002
【特許請求の範囲】
【請求項１】
人工筋肉を二層構造にし、一層目に普段用として膨張・収縮の容易なポリマゲル等の材料を使用したアクチュエータを設け、二層目に緊急用として発生応力と動作速度に優れた電歪ポリマ等の材料を使用したアクチュエータを設けることによって、普段のときと緊急のときに使うものとで分けることで、人間の筋肉構造の赤筋と白筋の動作に近い使い方が可能としたことを特徴とする二層構造の人工筋肉。
【請求項２】
前記二つのアクチュエータを併用し、用途に合った出力割合を制御することによって、多様性に優れた筋肉動作ができることを特徴とする二層構造の人工筋肉。
【発明の詳細な説明】
【技術分野】
【０００１】  本発明は、人工筋肉を二層構造にし、それぞれの特性を生かすことによって、多様性に優れた人間の筋肉動作により近くすることができる二層構造の人工筋肉に関するものである。
【背景技術】
【０００２】  従来は、人工筋肉に使われるアクチュエータは単一で、さまざまな種類の人工筋肉材料を動作原理に使用してきました。
【発明の開示】
【発明が解決しようとする課題】
【０００３】  そのために、次のような問題点があった。
（イ）単一のアクチュエータだけを用いていたので、どんな優れた人工筋肉材料を使ったとしても、人間の筋肉構造は赤筋と白筋のように二種類であるために、それと同じような動作をさせるには難しかった。
本発明は、これらの問題点を解決するためになされたものである。
【課題を解決するための手段】
【０００４】  人工筋肉を二層構造にし、一層目に普段用として膨張・収縮の容易なポリマゲル等の材料を使用したアクチュエータを設け、二層目に緊急用として発生応力と動作速度に優れた電歪ポリマ等の材料を使用したアクチュエータを設けることにより、普段のときに使うものと緊急のときに使うものとを分けることで、人間の筋肉構造の赤筋と白筋の動作に近い使い方が可能になる。以上を特徴とする二層構造の人工筋肉。【０００５】  前記二つのアクチュエータを併用し、用途に合った出力割合を制御することによって、多様性に優れた筋肉動作ができる。以上を特徴とする二層構造の人工筋肉。
【発明の効果】
【０００６】  人工筋肉を二層構造にして、一層目に膨張・収縮の容易なポリマゲル等の材料を使用したアクチュエータを設け、二層目に発生応力と動作速度に優れた電歪ポリマ等の材料を使用したアクチュエータを設けることにより、普段のときと緊急のときに使うものとで分けることで、人間の筋肉構造の赤筋と白筋の動作に近い使い方が可能となる。またそれらを併用させることにより、用途に合った出力割合を制御すれば、多様性に優れた人間の筋肉動作により近づけることができる。また、電歪ポリマ等の材料を使用した二層目のアクチュエータは、動作速度と発生応力並びに収縮の強さもあるので良い硬化性が得られるなどのことから、外からの衝撃を防御するのが容易であるという効果も得られる。
【発明を実施するための最良の形態】
【０００７】以下、本発明の実施の形態について説明する。
（イ）  二層構造にするために、伸縮に強いゴム等の材質を使用した境界膜（１）と外膜（２）を設ける。
（ロ）  膨張・収縮の容易なポリマゲル等の材料を使用した一層目のアクチュエータ（３）に、電極Ａ（４）を設ける。
（ハ）  発生応力と動作速度に優れた電歪ポリマ等の材料を使用した二層目のアクチュエータ（５）に、電極Ｂ（６）を設ける。
（ニ）  電極Ａ（４）と電極Ｂ（６）を、制御装置及び電源等に接続する。
（ホ）  骨部（７）と人工筋肉本体（８）との間に、伸縮に強い接続ジョイント（９）を設けて固定する。
本発明は以上のような構成で、これを使用するときは、普段のときに使う場合には、制御装置及び電源等から電極Ａ（４）を介して、一層目のアクチュエータ（３）に電気刺激を与えて筋肉動作をさせる。緊急のときに使う場合には、制御装置及び電源等から電極Ｂ（６）を介して、二層目のアクチュエータ（５）に電気刺激を与えて普段のときに使う場合よりも強い筋肉動作をさせる。
また用途の一例として、最大応力が必要な場合などには、制御装置及び電源等から電極Ａ（４）と電極Ｂ（６）を介して、一層目のアクチュエータ（３）と二層目のアクチュエータ（５）を併用させることにより、この人工筋肉での最大の筋肉動作を起こさせる。
【図面の簡単な説明】
【０００８】
【図１】本発明の断面図
【図２】本発明の使用状態の一例を表した正面図
【符号の説明】
【０００９】    １    境界膜
２    外膜
３    一層目のアクチュエータ
４    電極Ａ
５    二層目のアクチュエータ
６    電極Ｂ
７    骨部
８    人工筋肉本体
９    接続ジョイント
【図１】
2006297005.tif 000003
【図２】
2006297005.tif 000004
(57)【要約】【目的】持ち運びや移動を少なく抑えることができるので無駄な時間と手間が省け、高所の危険防止となる掃除機を供給できる。【構成】電気掃除機の接続口のパイプから、反対側のパイプ接続口間までのホースが長い電気掃除機である。【選択図】    図１
2006297001.tif 000002
【特許請求の範囲】
【請求項１】
電気掃除機の接続口のパイプから、反対側のパイプ接続口間までのホースが長い電気掃除機。
【請求項２】
電気掃除機の接続口にパイプが着脱でき、ホース全体を取り外した時に持ち運びができる電気掃除機。
【発明の詳細な説明】
【技術分野】
【０００１】  本発明は、一般家庭の持ち運びや移動を少なく抑えた電気掃除機に関する。
【背景技術】
【０００２】  従来の家庭用電気掃除機のホース長さは、常にホースを引っ張りながら掃除機を移動して掃除するために適した長さである。
【発明の開示】
【発明が解決しようとする課題】
【０００３】  従来の電気掃除機では、掃除機を掃除する部屋や場所に運び、その都度、足元付近に引っ張りながら移動して掃除するため面倒で手間がかかり、置物等に当たるとキズをつける事がある。また、階段やエアコン、電灯笠等の高所を掃除する時、掃除機を持ちながら行うため重くて転倒する危険がある。
【課題を解決するための手段】
【０００４】  本発明は、このような従来の有していた問題を解決しようとするものであり、ホースを長くする事により、ホースを伸ばして部屋全体や、高所等の掃除ができる。
【発明の効果】
【０００５】  本発明の電気掃除機は、所定の場所に置いたまま、ホースを伸ばして掃除するため、持ち運びや移動を少なく抑えることができ、掃除機を引っ張りながら掃除をする無駄な時間や面倒な手間が省け、高所の危険防止となる掃除機を供給できる。
【図面の簡単な説明】
【０００６】
【図１】本発明の横から見た外観図
【符号の説明】
【０００７】１  電気掃除機の接続口
２  パイプの接続口
３  ホース
【図１】
2006297001.tif 000003